(57)【要約】      （修正有）【課題】吸盤の吸着性と剥離性、粘着材の粘着性を複合的に活用することにより、装着対象面に対して長時間安定して粘着・吸着することが出来る、着脱自在なホルダーを提供する。【解決手段】軟質の合成樹脂、合成ゴムなどで形成され、ドーム状吸着部１、押圧部２，剥離部３を備える吸盤、合成樹脂、合成ゴム、金属などで形成され、通気開口部５を備えるベース４、ならびに、軟質両面粘着の合成樹脂、合成ゴムなどで形成され、気密開口部７を備え、ベース裏面の外周に装着対象面との間で所要の隙間を構成する形状、サイズのプレート６で構成され、装着対象面にプレート、ベース、吸盤を重ねて装着して、吸盤を押圧することにより、ドーム状吸着部１、通気開口部５、気密開口部７により構成されるホルダー一体の粘着・吸着構造により、ホルダーを装着対象面に対して長時間安定して粘着・吸着することが出来る。【選択図】図１
0003144534.tif 000002
【実用新案登録請求の範囲】
【請求項１】
吸盤，ベース，プレートで構成し，ベースに形成する保持具に物品を取り付けて壁などの装着対象面に装着するホルダーに関し，合成樹脂，合成ゴム，金属などで形成され，通気開口部を備えるベースの裏面に，軟質両面粘着の合成樹脂，合成ゴムなどで形成され，気密開口部を備え，ベース裏面の外周に装着対象面との間で所要の隙間を構成する形状，サイズのプレートの片面を粘着することにより，通気開口部と気密開口部を連結し，かつ，プレートの反対面を装着対象面に粘着させるとともに，ベースの表面に，軟質の合成樹脂，合成ゴムなどで形成され，ドーム状吸着部，押圧部，剥離部を備える吸盤を押圧することにより，ドーム状吸着部，通気開口部，気密開口部により構成されるホルダー一体の粘着・吸着構造により，装着対象面にホルダーを長時間安定して粘着・吸着することが出来る，着脱自在なマルチホルダー。
【請求項２】
ベースと吸盤を連結部材により連結構成する，請求項１に記載するマルチホルダー。
【考案の詳細な説明】
【技術分野】
【０００１】吸盤，ベース，プレートで構成し，ベースに形成する保持具により物品を壁などの装着対象面に装着するホルダーに関し，軟質の合成樹脂，合成ゴムなどで形成され，ドーム状吸着部，押圧部，剥離部を備える吸盤，合成樹脂，合成ゴム，金属などで形成され，通気開口部を備えるベース，ならびに，軟質両面粘着の合成樹脂，合成ゴムなどで形成され，気密開口部を備え，ベース裏面の外周に装着対象面との間で所要の隙間を構成する形状，サイズのプレートで構成され，装着対象面にプレート，ベース，吸盤を重ねて装着して，吸盤を押圧することにより，ドーム状吸着部，通気開口部，気密開口部により構成されるホルダー一体の粘着・吸着構造により，装着対象面にホルダーを長時間安定して粘着・吸着することが出来る，着脱自在なマルチホルダー。
【背景技術】
【０００２】壁などの装着対象に傷を付けずに物品を吊り下げたりする部材としては，吸盤や粘着材が利用されるが，吸盤は，吸着対象面の平滑度が粗い場合に気密が維持できず空気が流入して剥離する。また，装着対象面に対して垂直方向への吸着力は強いが，水平方向への力には弱い性格を有するが，剥離構造により剥離が容易である利点は有る。粘着材は，粘着度が強い場合は平滑度が粗い面に対しても吸着が図られるものの，粘着度が強いほど剥離が困難となる。また，表面が塵芥により汚れ易く，汚れた場合は吸着力が低下し，特に水などの液体に対しては極端に弱い。このように，吸盤ならびに粘着材はそれぞれに弱点を有しているため，相互に補完する目的から，吸盤に粘着材を貼り付けたり，粘着材で吸盤を形成するなど，吸着と粘着の両方の機能を活用するための種々な提案がなされているが，いずれに関しても実現の困難さや，所要の吸着力や剥離性を得ることにも難点が有るなど，根本的な課題は解決されていない。
【考案が解決しようとする課題】
【０００３】壁などの装着対象面にクギなどで傷を付けずに物品を装着する部材として，装着対象面に対して垂直方向への吸着力は強いが，水平方向の力に弱い傾向や，平滑度の粗い装着対象面への吸着性の弱点などを有する吸盤，ならびに剥離性の難点や，汚れによる吸着力の低下，水などの液体による非粘着など粘着材の有する各種の弱点を解決するために，相互の利点である，吸盤の吸着性と剥離性，粘着材の粘着性を複合的に活用することにより，装着対象面に対して長時間安定して粘着・吸着することが出来る，着脱自在なホルダーを提供する。
【課題を解決するための手段】
【０００４】ベースに形成する保持具に物品を取り付けて壁などの装着対象面に装着するホルダーに関し，軟質の合成樹脂，合成ゴムなどで形成され，ドーム状吸着部，押圧部，剥離部を備える吸盤，合成樹脂，合成ゴム，金属などで形成され，通気開口部を備えるベース，ならびに，軟質両面粘着の合成樹脂，合成ゴムなどで形成され，気密開口部を備え，ベース裏面の外周に装着対象面との間で所要の隙間を構成する形状，サイズのプレートで構成され，装着対象面にプレート，ベース，吸盤を重ねて装着して，吸盤を押圧することにより，ドーム状吸着部，通気開口部，気密開口部により構成されるホルダー一体の粘着・吸着構造により，ホルダーを装着対象面に対して長時間安定して粘着・吸着することが出来る。
【考案の効果】
【０００５】プレート，ベース，吸盤を重ねて，プレートの片面を装着対象面に粘着した状態で吸盤を押圧することにより，軟質両面粘着のプレートが平滑度の粗い装着対象面への吸着性を向上し，ドーム状吸着部，通気開口部，気密開口部により構成されるホルダー一体の粘着・吸着構造により，ホルダーを装着対象面に粘着・吸着保持することにより，粘着・吸着構造の気密性が保たれ，長時間安定して粘着・吸着することが出来る。また，ベースに形成する保持具により物品を壁などの装着対象面に装着する構造により，吸盤の弱点である装着対象面に対して垂直方向への吸着力は強いが，水平方向の力に弱い傾向に関しても，直接吸盤に負荷が掛からないため解決される。
【０００６】装着対象面に対してはプレートの粘着作用だけでなく吸盤による吸着作用が働くため，プレートが塵芥により汚れた場合や，水などが付着した場合でも装着対象面への吸着は維持される。さらに，吸盤は剥離構造により簡単に剥離可能であるとともに，プレートによる装着対象面への装着は粘着作用のみに依存せず吸着作用も機能するため，粘着力はそれ程強い必要は無く，さらに，プレートは剥離の容易性を目的として，ベース裏面の外周に装着対象面との間で所要の隙間を構成する形，サイズに形成され，かつ，気密開口部は粘着機能が無いため，洗浄や交換などでプレートをベースから剥離する場合や，ベースを装着対象面から剥離する場合などに着脱は極めて容易である。
【考案を実施するための最良の形態】
【０００７】図１は本発明によるマルチホルダーの構成斜視図であり，１は軟質の合成樹脂，合成ゴムなどで形成される吸盤のドーム状吸着部，２は押圧部，３は剥離部を示す。４は合成樹脂，合成ゴム，金属などで形成されるベースを示し，５は吸盤のドーム状吸着部の内面と，プレートの気密開口部を連結する通気開口部を示す。ベースの強度，硬度は，取り付ける物品の荷重に耐えることが必要である。６は軟質両面粘着の合成樹脂，合成ゴムなどで形成され，気密開口部を備えたドーナツ状のプレート，７は気密開口部を示し，吸盤のドーム状吸着部，ベースの通気開口部とともにホルダー一体の粘着・吸着構造を構成する。【０００８】ベースは表面に吸盤を吸着，裏面にプレートを粘着させて，通気開口部によりホルダー一体の粘着・吸着構造を構成する。プレートは粘着面積が広いほど粘着力は強くなる反面，剥離が困難になる。しかし，プレートの気密開口部は粘着機能が無く，ベース裏面の外周に装着対象面との間で所要の隙間を構成する形状，サイズで構成されるため，洗浄や交換などでプレートをベースから剥離する場合や，ベースを装着対象面から剥離する場合などに着脱が容易である。なお，ベースに粘着されるプレート面は，取り付けて以降は殆ど取り外すことは無く，塵芥などによる汚れが付着しないため強い粘着力が維持される。万一，軟質両面粘着材の表面が汚れて粘着性が低下した場合は，水洗により粘着力は回復する。【０００９】図２はマルチホルダーを装着対象面９に粘着・吸着させた状態を示す構成断面図である。プレート，ベース，吸盤を重ねて，プレートの片面を装着対称面に粘着させた状態で，吸盤を押圧することにより，軟質両面粘着のプレート６が平滑度の粗い吸着対象面への吸着性を向上し，ドーム状吸着部１，通気開口部５，気密開口部７により構成されるホルダー一体の粘着・吸着構造により，ホルダーを装着対象面に粘着・吸着保持する構成で長時間安定した粘着・吸着が維持される。なお，プレートは，ベースの裏全面には粘着せず，外周に装着対象面９との間に所要の隙間８を構成する形状，サイズとし，例えば物品の取り付け保持具を装着する領域の裏面などには大きな隙間を構成して，ベースの剥離性を高める。図３はマルチホルダーに物品の取り付け保持具を装着した概観斜視図を示し，ベース４に保持具１０を装着している。図４は，請求項２に記載する，軟質合成樹脂で形成される連結部材１１により吸盤１とベース４を連結した例を示す構成断面図である。【００１０】以上説明するように，物品を吸盤に直接装着せず，ベースに形成する保持具に装着することにより，装着対象面に対して垂直方向への吸着力は強いが，水平方向の力に弱い吸盤の弱点が克服されるとともに，吸盤の吸着性と剥離性，粘着材の粘着性を複合的に活用することにより，装着対象面に対して長時間安定して粘着・吸着することが出来るとともに，剥離性を高めた，着脱自在なホルダーが実現される。
【実施例】
【００１１】実施例としては，Φ４５ｍｍ，高さ２０ｍｍのエストラーマ材の吸盤と，厚さ１ｍｍ，吸盤接触域Φ５０ｍｍ，通気開口径２０ｍｍの透明アクリル材のベース，厚さ２ｍｍ，Φ４５ｍｍ，気密開口径２５ｍｍのポリウレタン材のプレートで構成した。吸盤は軟質塩化ビニール材，ベースは硬質塩化ビニール材，プレートはシリコンゴム材などの適用も可能である。物品の保持具はベース上に構成し，クリップ，フック，名札立てなど多様な機能が考えられる。吸盤とベースとの連結部材は，幅５ｍｍ，厚み１ｍｍのナイロン帯で構成した。なお，ベースやプレートの形状は楕円，矩形，または特殊な形状でも良いが，ベースに関しては，吸盤の確実な吸着を考慮すると，適度な硬質材が望ましいとともに，プレートに関しては，ベース裏面の外周に所要の隙間を構成する形状，サイズとすることが剥離の操作性において重要である。さらに，ホルダーを構成する，材質，形状，デイメンジョンなどに関しては，本考案の趣旨を逸脱しない範囲であれば，種々変形実施が可能である。
【図面の簡単な説明】
【００１２】
【図１】本考案によるマルチホルダーの構成斜視図を示す。
【図２】マルチホルダーの構成断面図を示す。
【図３】ベースにクリップを装着した概観斜視図を示す。
【図４】ベースと吸盤を連結した構成断面図を示す。
【符号の説明】
１  吸盤のドーム状吸着部    ５  通気開口部        ８  隙間２  押圧部                  ６  プレート          ９  装着対象面３  剥離部                  ７  気密開口部      １０  保持具４  ベース                                      １１  連結部材
【図１】
0003144534.tif 000003
【図２】
0003144534.tif 000004
【図３】
0003144534.tif 000005
【図４】
0003144534.tif 000006
【手続補正書】
【提出日】平成20年6月23日(2008.6.23)
【手続補正１】
【補正対象書類名】明細書
【補正対象項目名】００１２
【補正方法】変更
【補正の内容】
【００１２】
【図１】本考案によるマルチホルダーの構成斜視図を示す。
【図２】マルチホルダーの構成断面図を示す。
【図３】ベースにクリップを装着した概観斜視図を示す。
【図４】ベースと吸盤を連結した構成断面図を示す。
【符号の説明】
１  吸盤のドーム状吸着部    ５  通気開口部        ８  隙間
２  押圧部                  ６  プレート          ９  装着対象面
３  剥離部                  ７  気密開口部      １０  保持具
４  ベース                                      １１  連結部材